(57)【要約】【課題】記録画像の品質を低下することなく、白色インクの布帛への塗布量を多くすることを可能にする。【解決手段】被記録媒体としての布帛を支持する支持部２と、前記支持部２に支持される前記被記録媒体に白色インクを用いた記録を行う記録ヘッド６と、前記記録ヘッド６に対して前記支持部２を相対移動させる移動機構３と、を備え、前記移動機構３による相対移動を複数回行うことにより、前記相対移動のうち先の相対移動において記録された前記白色インクが湿っている状態で、後の相対移動において前記湿っている状態の前記白色インクに少なくとも一部が重なるように前記白色インクを重ねることを特徴とする。【選択図】図３
2014114529.tif 000002
【特許請求の範囲】
【請求項１】
被記録媒体としての布帛を支持する支持部と、
前記支持部に支持される前記被記録媒体に白色インクを用いた記録を行う記録ヘッドと、
前記記録ヘッドに対して前記支持部を相対移動させる移動機構と、を備え、
前記移動機構による相対移動を複数回行うことにより、前記相対移動のうち先の相対移動において記録された前記白色インクが湿っている状態で、後の相対移動において前記湿っている状態の前記白色インクに少なくとも一部が重なるように前記白色インクを重ねることを特徴とする記録装置。
【請求項２】
請求項１に記載の記録装置において、
前記白色インクでの記録の際の単位面積当たりの前記白色インクの塗布量は、前記複数回の記録により、予め定められた塗布量となることを特徴とする記録装置。
【請求項３】
請求項１又は２に記載の記録装置において、
前記複数回は２回であり、
前記移動機構による１回目の相対移動による記録の際のほうが２回目の相対移動による記録の際よりも前記白色インクの塗布量が多くなるよう記録することを特徴とする記録装置。
【請求項４】
請求項１から３のいずれか１項に記載の記録装置において、
前記複数回の記録により、前記白色インクの塗布量の合計が２００ｍｇ／ｉｎｃｈ２以上で記録可能であることを特徴とする記録装置。
【請求項５】
請求項１から４のいずれか１項に記載の記録装置において、
前記白色インク以外のインクを搭載し、
前記白色インクでの記録の際の解像度が前記白色インク以外のインクでの記録の際の解像度よりも高くなるよう記録することを特徴とする記録装置。
【請求項６】
請求項１から５のいずれか１項に記載の記録装置において、
前記被記録媒体の繊維方向と交差する方向の解像度が前記繊維方向に沿う方向の解像度よりも高くなるよう記録することを特徴とする記録装置。
【請求項７】
被記録媒体としての布帛を支持する支持部と、前記支持部に支持される前記被記録媒体に白色インクを用いた記録を行う記録ヘッドと、前記支持部と前記記録ヘッドとを相対移動させる移動機構と、を備える記録装置を用いて行う記録方法であって、
前記移動機構による相対移動を複数回行うことにより、前記相対移動のうち先の相対移動において記録された前記白色インクが湿っている状態で、後の相対移動において前記湿っている状態の前記白色インクに少なくとも一部が重なるように前記白色インクを重ねることを特徴とする記録方法。
【発明の詳細な説明】
【技術分野】
【０００１】
本発明は、被記録媒体としての布帛に記録する記録装置及び記録方法に関する。
【背景技術】
【０００２】
従来から、被記録媒体としての布帛に記録する記録装置が使用されている。被記録媒体としての布帛には様々な地色のものがあるため、このような記録装置では、地色の影響を受けることなく所望の色で記録を行うために白色インクを搭載しているものが多い。白色インクを塗布して布帛の地色の影響を抑制したうえで、カラーインクによる画像形成を行うことが可能になるためである。  
例えば、特許文献１には、白色顔料として中空状ポリマー微粒子を含有する白色インクを仮加熱定着させて複数回重ねて記録する画像形成方法が開示されている。  
また、特許文献２には、前処理した織物に対して白色インクとカラーインクとを付与する画像形成方法が開示されている。
【０００３】
一方、上記のような白色インクは、布帛の地色の影響を抑制することを目的としている。このため、布帛の表面に白色の色材を多く存在させるために、白色インクの布帛への塗布量を多くしなければならない場合がある。白色インクの布帛への塗布量が少ないと布帛の地色の影響により所望の色と異なる色で画像が形成される場合があるためである。
【先行技術文献】
【特許文献】
【０００４】
【特許文献１】特開２００５−１６１５８３号公報
【特許文献２】特表２００９−５０８７１７号公報
【発明の概要】
【発明が解決しようとする課題】
【０００５】
しかしながら、白色インクの布帛への塗布量を多くすると、白色インクが溢れて記録画像の品質が低下する場合がある。  
特許文献１の画像形成方法のように白色インクを複数回重ねて記録すると、白色インクの溢れ（所望の範囲を超えたインクの広がり）を抑制することは可能である。しかし、特許文献１の画像形成方法は、白色インクを複数回重ねて記録する際に、白色インクを仮加熱定着させて記録する。このため、布帛上において、乾燥した状態の白色インクの上にさらに白色インクのドットが塗布されてドットの盛り上がりが形成されることにより、記録画像の平滑性が低下する場合があった。白色インクを仮加熱定着することにより、乾燥した状態の白色インクの上に白色インクのドットがさらに塗布された場合ドットが広がりにくいためである。また、記録ヘッドを往復走査させて記録を行う場合、白色インクの仮加熱定着に起因して、１回分の走査に対応する帯状のムラ（バンドムラ）が発生する場合があった。すなわち、特許文献１の画像形成方法は、白色インクが溢れることとは別の理由で記録画像の品質が低下する場合があった。  
一方、特許文献２の画像形成方法は、記録画像の平滑性の低下やバンドムラを発生させるものではないが、そもそもの目的である白色インクの布帛への塗布量を多くすることを可能にする技術ではない。
【０００６】
そこで、本発明の目的は、記録画像の品質を低下することなく、白色インクの布帛への塗布量を多くすることを可能にすることである。
【課題を解決するための手段】
【０００７】
上記課題を解決するための本発明の第１の態様の記録装置は、被記録媒体としての布帛を支持する支持部と、前記支持部に支持される前記被記録媒体に白色インクを用いた記録を行う記録ヘッドと、前記記録ヘッドに対して前記支持部を相対移動させる移動機構と、を備え、前記移動機構による相対移動を複数回行うことにより、前記相対移動のうち先の相対移動において記録された前記白色インクが湿っている状態で、後の相対移動において前記湿っている状態の前記白色インクに少なくとも一部が重なるように前記白色インクを重ねることを特徴とする。
【０００８】
ここで、「前記記録ヘッドに対して前記支持部を相対移動させる移動機構」とは、前記記録ヘッドに対して前記支持部を移動させる（前記支持部に支持された前記被記録媒体を搬送する）構成に限定されない意味である。すなわち、前記支持部に対して前記記録ヘッドを移動させる構成や、両者を相対移動させる構成も含む意味である。  
また、「湿っている状態」とは、乾燥しきっている状態でなければ含まれる意味である。
【０００９】
本態様によれば、前記相対移動のうち先の相対移動において記録された前記白色インクが湿っている状態で、後の相対移動において前記湿っている状態の前記白色インクに少なくとも一部が重なるように記録する。こうして、前記複数回に分割して前記白色インクを記録する。このため、記録画像の平滑性の低下やバンドムラを発生させることなく、白色インクの被記録媒体としての布帛への塗布量を多くすることが可能である。
【００１０】
本発明の第２の態様の記録装置は、前記第１の態様において、前記白色インクでの記録の際の単位面積当たりの前記白色インクの塗布量は、前記複数回の記録により、予め定められた塗布量となることを特徴とする。
【００１１】
ここで「前記複数回の記録により、予め定められた塗布量となる」とは、１回の前記相対移動による記録によって所定の塗布量の白色インクを塗布するのではなく、複数回の前記相対移動による記録に分割して所定の塗布量の白色インクを塗布することを意味する。例えば、予め定められた塗布量が２８８０ｄｐｉ×１４４０ｄｐｉの解像度で１回記録する際の塗布量である場合、１ｉｎｃｈ２辺りのドット数は４１４７２００となる。これに対して１４４０ｄｐｉ×１４４０ｄｐｉの解像度で２回記録する場合の１ｉｎｃｈ２辺りの合計のドット数は４１４７２００となり同じドット数となる。このため、１ドットを形成するインク量（ドロップボリューム）が同じ場合、２８８０ｄｐｉ×１４４０ｄｐｉの解像度で１回記録する場合と１４４０ｄｐｉ×１４４０ｄｐｉの解像度で２回記録する場合とでは単位面積当たりのインクの塗布量は同じとなる。  
２８８０ｄｐｉ×１４４０ｄｐｉの解像度で記録するよりも１４４０ｄｐｉ×１４４０ｄｐｉの解像度で記録した場合の方が、同じ駆動周波数（吐出周波数）であれば記録ヘッドの１走査あたりの記録速度は速くできる。このため、本態様によれば、複数回に分割して記録することに伴う記録速度の低下を抑制することができる。
【００１２】
本発明の第３の態様の記録装置は、前記第１又は第２の態様において、前記複数回は２回であり、前記移動機構による１回目の相対移動による記録の際のほうが２回目の相対移動による記録の際よりも前記白色インクの塗布量が多くなるよう記録することを特徴とする。
【００１３】
本態様によれば、湿った被記録媒体上に前記白色インクを塗布する際よりも、湿っていない被記録媒体上に前記白色インクを塗布する際の塗布量が多くなるよう記録する。湿った被記録媒体上にインクを塗布する方が湿っていない被記録媒体上にインクを塗布するよりもインクの広がりを抑制することができる。インクの広がりを抑制することが可能な１回目の相対移動による記録の際に多くのインクを塗布することで、インクの広がりやすい２回目の相対移動による記録の際のインク塗布量を少なくすることができる。こうして、１回目の相対移動による記録と２回目の相対移動による記録の合計のインクの広がり（溢れ）を抑制することが可能になる。このため、効果的に被記録媒体上の白色インクの溢れを抑制することができる。特に、被記録媒体に前処理をしている場合は、１回目の相対移動による記録の際のほうが前処理剤は前記白色インク中により多く滲入できるので、より効果的に被記録媒体上の白色インクの溢れを抑制することができる。
【００１４】
本発明の第４の態様の記録装置は、前記第１から第３のいずれか１つの態様において、前記複数回の記録により、前記白色インクの塗布量の合計が２００ｍｇ／ｉｎｃｈ２以上で記録可能であることを特徴とする。
【００１５】
本態様によれば、前記複数回に分割して記録することにより、前記複数回の記録における前記白色インクの塗布量の合計が２００ｍｇ／ｉｎｃｈ２以上で記録可能である。すなわち、白色インクの被記録媒体としての布帛への塗布量を十分に多くすることが可能である。
【００１６】
本発明の第５の態様の記録装置は、前記第１から第４のいずれか１つの態様において、前記白色インク以外のインクを搭載し、前記白色インクでの記録の際の解像度が前記白色インク以外のインクでの記録の際の解像度よりも高くなるよう記録することを特徴とする。
【００１７】
本態様によれば、前記白色インクでの記録の際の解像度が前記白色インク以外のインクでの記録の際の解像度よりも高い。すなわち、同じドロップボリュームであれば、カラーインクなどの白色インク以外のインクよりも白色インクの塗布量を多くすることができる。上記のように、白色インクは塗布量を多くしなければならないのに対し、カラーインクなどでは塗布量を白インクほど多くしなくてもよいためである。  
特に、被記録媒体に前処理をしている場合は、前処理をした被記録媒体に直接記録される白色インクは前処理剤の効果により塗布量が多くても被記録媒体に溢れることなく定着可能である。これに対し、カラーインクは白色インクの上に記録されるため、前処理剤の効果が及ばず、白色インクと同様の塗布量だと溢れが生じ、記録画像の品質を低下させる場合がある。本態様によれば、このような場合を抑制可能である。
【００１８】
本発明の第６の態様の記録装置は、前記第１から第５のいずれか１つの態様において、前記被記録媒体の繊維方向と交差する方向の解像度が前記繊維方向に沿う方向の解像度よりも高くなるよう記録することを特徴とする。
【００１９】
一般的に布帛には繊維方向があり、布帛に塗布されたインクは繊維方向に沿ってインクが流れてから定着する傾向にある。すなわち、繊維方向に沿う方向にインクは広がりやすく、繊維方向に沿う方向のムラができやすい。本態様によれば、繊維方向と交差する方向の解像度が前記繊維方向に沿う方向の解像度よりも高くなるよう記録するので、このようなムラを抑制することができる。  
ここで、「前記被記録媒体の繊維方向と交差する方向の解像度が前記繊維方向に沿う方向の解像度よりも高くなるよう記録する」とは、具体的には、被記録媒体の繊維方向と交差する方向のほうが前記繊維方向に沿う方向よりも被記録媒体に形成される白色インクのドットが密になるよう記録することを意味する。なお、「繊維方向」とは、被記録媒体を構成する繊維そのものの方向のほか、該繊維が編まれることにより構成される被記録媒体の表面に表れる溝状の凹部に沿う方向も含む意味である。  
なお、前記被記録媒体の繊維方向は、被記録媒体としての布帛の種類によって概ね共通している。このため、例えば、使用する被記録媒体と該被記録媒体のセット方向とを設定可能とし、該セット方向に対応して該被記録媒体の繊維方向に沿う方向及び繊維方向と交差する方向の解像度を設定可能とする構成にすることにより本態様を実施可能である。また、記録装置又は別の手段により被記録媒体のセット方向をユーザーに報知し、そのセット方向に対応して両方向について所望の解像度で記録を行うことが可能な構成とすることによっても本態様を実施可能である。
【００２０】
上記課題を解決するための本発明の第７の態様の記録方法は、被記録媒体としての布帛を支持する支持部と、前記支持部に支持される前記被記録媒体に白色インクを用いた記録を行う記録ヘッドと、前記記録ヘッドに対して前記支持部を相対移動させる移動機構と、を備える記録装置を用いて行う記録方法であって、前記移動機構による相対移動を複数回行うことにより、前記相対移動のうち先の相対移動において記録された前記白色インクが湿っている状態で、後の相対移動において前記湿っている状態の前記白色インクに少なくとも一部が重なるように前記白色インクを重ねることを特徴とする。
【００２１】
本態様によれば、前記相対移動のうち先の相対移動において記録された前記白色インクが湿っている状態で、後の相対移動において前記湿っている状態の前記白色インクに少なくとも一部が重なるように記録する。こうして、前記複数回に分割して前記白色インクを記録する。このため、記録画像の平滑性の低下やバンドムラを発生させることなく、白色インクの被記録媒体としての布帛への塗布量を多くすることが可能である。
【図面の簡単な説明】
【００２２】
【図１】本発明の一実施例に係る記録装置を表す概略斜視図。
【図２】本発明の一実施例に係る記録装置を表す概略正面図。
【図３】本発明の一実施例に係る記録装置のブロック図。
【図４】本発明の一実施例に係る記録装置を表す概略側面図。
【図５】本発明の一実施例に係る記録方法を表すフローチャート。
【発明を実施するための形態】
【００２３】
［実施例］（図１〜図３）  
以下に、本発明の一実施例に係る記録装置について、添付図面を参照して詳細に説明する。  
最初に、本発明の一実施例に係る記録装置について説明する。  
図１は本発明の一実施例に係る記録装置１の概略斜視図、図２は概略正面図を表している。
【００２４】
本実施例の記録装置１は、被記録媒体としての布帛を支持する支持部としての媒体支持トレイ２を備えている。また、媒体支持トレイ２に支持された被記録媒体を搬送方向Ａに搬送する移動機構３を備えている。なお、本実施例における移動機構３は記録ヘッド６（図３参照）に対して媒体支持トレイ２を移動させる（媒体支持トレイ２に支持された被記録媒体を搬送する）構成である。しかしながら、媒体支持トレイ２に対して記録ヘッド６を移動させる構成や、両者を相対移動させる構成であってもよい。  
また、媒体支持トレイ２はステージ４に支持されている。媒体支持トレイ２はステージ４と共に、回転レバー５を回転させることにより、高さ方向Ｃに移動する。
【００２５】
また、記録装置１の本体内部には記録ヘッド６が備えられている。そして、本実施例の記録装置１は、搬送方向Ａと交差する走査方向Ｂに記録ヘッド６を往復移動させながら、記録ヘッド６から媒体支持トレイ２に支持されて搬送される被記録媒体にインクを吐出させて所望の画像を形成する。なお、本実施例の記録装置１は、図１中の手前側（左下方向）が媒体支持トレイ２への被記録媒体のセット位置であり、図１中の奥側（右上方向）の記録開始位置まで被記録媒体をセットした媒体支持トレイ２を移動した後、図１中の手前側に媒体支持トレイ２を移動しながら記録する。
【００２６】
また、記録装置１には、モニター８及びコントロールパネル９が設けられている。ユーザーは、コントロールパネル９を用いて、モニター８に表示されるメニューから所望のメニューを選択し記録装置１に実行させることができる。例えば、使用する被記録媒体の種類や搬送方向Ａ及び走査方向Ｂにおける解像度（記録モード）等を選択し記録装置１に実行させることができる。
【００２７】
また、記録装置１は、白色インク、黒色インク、シアンインク、マゼンタインク、イエローインクを収容したインクカートリッジ（不図示）を備えている。  
さらに、媒体支持トレイ２に支持された被記録媒体の浮きを検出する浮き検出センサー２１（図３参照）を備えている。なお、浮き検出センサー２１は、記録時の被記録媒体の搬送方向において記録ヘッド６の走査範囲よりも上流側に設けられており、記録時においては制御部１０（図３参照）の制御により常時ＯＮになっている。
【００２８】
次に、本実施例の記録装置１における電気的な構成について説明する。  
図３は、本実施例の記録装置１のブロック図である。  
制御部１０には、記録装置１の全体の制御を司るＣＰＵ１１が設けられている。ＣＰＵ１１は、システムバス１２を介して、ＣＰＵ１１が実行する各種制御プログラムやメンテナンスシーケンス等を格納したＲＯＭ１３と、データを一時的に格納可能なＲＡＭ１４と接続されている。また、ＣＰＵ１１は、システムバス１２を介して、記録ヘッド６を駆動するためのヘッド駆動部１５と接続されている。また、記録ヘッド６を搭載したキャリッジを移動させるためのキャリッジモーター１６及び被記録媒体を搬送するための搬送モーター１７を駆動させるためのモーター駆動部１８と接続されている。さらに、記録データ等をＰＣ等の外部装置から入力する等のためのインターフェース１９、モニター８及びコントロールパネル９とデータ及び信号の送受信を行うための入出力部２０と接続されている。
【００２９】
制御部１０は、白色インクの記録の際、移動機構３による媒体支持トレイ２と記録ヘッド６との相対移動を複数回行いながら記録をするよう制御する。また、この際、前記相対移動のうち先の相対移動において記録された白色インクが湿っている状態で、後の相対移動において前記湿っている状態の白色インクに少なくとも一部が重なるように記録するよう制御する。具体的には、このような記録条件を満たす記録速度や白色インクの塗布位置となる複数の記録シーケンスを複数の記録モードとしてＲＯＭ１３に格納しておき、該記録シーケンスに従って記録を行うよう制御部１０は記録ヘッド６や移動機構３等を制御する。  
制御部１０がこのような制御を行うことにより、本実施例の記録装置１は、記録画像の平滑性の低下やバンドムラを発生させることなく、白色インクの被記録媒体としての布帛への塗布量を多くすることが可能になっている。  
なお、前記湿っている状態には、白色インクが乾燥しきっている状態でなければ含まれる。
【００３０】
また、本実施例の記録装置１は、複数の記録モードで記録することが可能である。白色インクでの記録において、初期設定である通常モードでは、前記相対移動を２回行って、同じ記録領域に対して１４４０ｄｐｉ×１４４０ｄｐｉの解像度で２回記録することが可能な構成となっている。同じ記録領域に対して１４４０ｄｐｉ×１４４０ｄｐｉで２回記録することによって、所望の塗布量（予め定められた単位面積当たりの塗布量であって２８８０ｄｐｉ×１４４０ｄｐｉにおいて１回で記録した場合の塗布量）で記録することになる。また、本実施例の記録装置１は、２回合計の白色インクの塗布量が２００ｍｇ／ｉｎｃｈ２以上になるように記録することが可能な構成となっている。なお、上記解像度は、例えば、２８８０ｄｐｉ×１４４０ｄｐｉの場合、先の記載である２８８０ｄｐｉが走査方向Ｂ、後の記載である１４４０ｄｐｉが搬送方向Ａに対応している。  
このような構成のため、複数回に分割して記録することに伴う記録速度の低下を抑制することができるとともに、白色インクの被記録媒体としての布帛への塗布量を十分に多くすることが可能である。  
記録速度の低下を抑制することができるのは、２８８０ｄｐｉ×１４４０ｄｐｉの解像度で記録するよりも１４４０ｄｐｉ×１４４０ｄｐｉの解像度で記録した場合の方が、同じ吐出周波数であれば記録ヘッド６の１走査あたりの記録速度は速くできるためである。
【００３１】
なお、本実施例の記録装置１は、白色インクでの記録における通常モードでは、移動機構３による１回目の相対移動による記録の際と２回目の相対移動による記録の際とで白色インクの塗布量は同じである。制御部１０は、通常モードでは、該１回目の相対移動による記録の際と２回目の相対移動による記録の際とで白色インクの塗布位置が同じ位置になるように制御する。  
ただし、使用する白色インクの種類等に応じて、前記１回目の相対移動による記録の際と２回目の相対移動による記録の際とで白色インクの塗布位置が、少なくとも一部が重なっていれば、ずれるように塗布する構成であってもよい。
【００３２】
また、本実施例の記録装置１は、移動機構３による１回目の相対移動による記録の際のほうが２回目の相対移動による記録の際よりも白色インクの塗布量が多くなるよう記録する記録モードを有している。  
この記録モードでは、湿った被記録媒体上に白色インクを塗布する際よりも、湿っていない被記録媒体上に白色インクを塗布する際の塗布量が多くなるよう記録するので、効果的に被記録媒体上の白色インクの溢れを抑制することができる。特に、被記録媒体に前処理をしている場合は、１回目の相対移動による記録の際のほうが前処理剤は前記白色インク中により多く滲入でき、前処理剤の効果が顕著となるため、より効果的に被記録媒体上の白色インクの溢れを抑制することができる。  
また、上記の各記録モードは、前記相対移動を２回行って、同じ記録領域に対して２回記録する記録モードである。しかしながら、本実施例の記録装置１は、前記相対移動を３回以上行って、同じ記録領域に対して３回以上記録する記録モードも複数有している。
【００３３】
なお、本実施例の記録装置１は、白色インクでの記録において、通常モードでは、１４４０ｄｐｉ×１４４０ｄｐｉで記録する構成となっている。一方、白色インク以外のインクである黒色インク、シアンインク、マゼンタインク、イエローインクでの画像形成時の記録において、通常モードでは、白色インクでの記録の際の解像度よりも低い解像度で記録する構成となっている。すなわち、初期設定では、白色インクでの記録の際の解像度が白色インク以外のインクでの記録の際の解像度よりも高くなるよう設定されている。
【００３４】
また、本実施例の記録装置１では、白色インクに酸化チタンを色材として用いた水性インク、白色インク以外のインクに顔料を色材として用いた水性インクを使用しているが、使用可能なインクの種類に特に限定はない。  
また、本実施例の記録装置１では、インクの色材と反応する多価金属や樹脂等を含有する前処理剤を予め塗布した布帛が被記録媒体として好ましく用いられるが、このような前処理を行っていない被記録媒体を使用することもできる。
【００３５】
本実施例の記録装置１は、初期設定としての通常モードとは別の記録モードをモニター８及びコントロールパネル９を用いてユーザーが選択できる構成となっている。具体的には、以下の手順となる。  
最初に、ユーザーは、モニター８に表示された複数の被記録媒体から、コントロールパネル９を用いて記録を行う被記録媒体の種類を選択する。  
次に、モニター８に被記録媒体のセット方向が表示される。  
次に、ユーザーは、該セット方向に被記録媒体をセットした後、コントロールパネル９を用いて記録実行命令をする。  
すると、ユーザーに選択された被記録媒体の種類に応じた解像度で記録装置１は記録を実行する。
【００３６】
被記録媒体が布帛である場合、その種類によって概ね繊維方向は決まっている。例えば、一般的にはＴシャツにおける繊維方向は丈方向である。布帛に塗布されたインクは繊維方向に沿ってインクが流れてから定着する傾向にあるので、繊維方向に沿う方向にインクは広がりやすく、繊維方向に沿う方向のムラができやすい。すなわち、Ｔシャツに記録を行う場合、丈方向にムラができやすい。  
このため、本実施例の記録装置１は、例えば、被記録媒体としてＴシャツがユーザーに選択された場合、丈方向と交差する幅方向（繊維方向と交差する方向）の解像度が丈方向（繊維方向に沿う方向）の解像度よりも高くなるよう記録する。こうして、このような丈方向のムラを抑制している。  
すなわち、本実施例の記録装置１は、ユーザーに選択された被記録媒体の種類に応じて、被記録媒体の繊維方向と交差する方向の解像度が前記繊維方向に沿う方向の解像度よりも高くなるよう記録する記録モードを有している。別の表現をすると、被記録媒体の繊維方向と交差する方向のほうが前記繊維方向に沿う方向よりも被記録媒体に形成される白色インクのドットが密になるよう記録する記録モードを有している。
【００３７】
なお、本実施例の記録装置１は、モニター８に、走査方向Ｂ及び搬送方向Ａの解像度の表示を伴う記録モードの表示も可能である。このため、ユーザーは、コントロールパネル９を用いて解像度の表示を伴う記録モードから、実際に記録を実行する記録モードを選択することも可能である。
【００３８】
次に、本実施例の記録装置１における記録動作について説明する。  
図４は、本実施例の記録装置１の概略側面図である。  
図４において、ユーザーは被記録媒体のセット位置Ｐ１において被記録媒体を媒体支持トレイ２にセットする。記録を開始すると、最初に、媒体支持トレイ２は記録開始位置Ｐ２まで方向Ａ１に搬送される。そして、媒体支持トレイ２は、記録の実行と共に方向Ａ２に移動し、記録の終了とともにセット位置Ｐ１まで移動する。
【００３９】
次に、本発明の記録方法の一実施例について説明する。  
図５は、本発明の記録方法の一実施例に係るフローチャートである。  
なお、本実施例の記録方法は、上記の記録装置１を用いて、記録ヘッド６に対して媒体支持トレイ２を２回相対移動させて白色インクの記録を行う際の記録方法の実施例である。
【００４０】
ユーザーにより、セット位置Ｐ１において被記録媒体が媒体支持トレイ２にセットされ、コントロールパネル９を用いて記録開始の指示がされると、最初に、ステップＳ１１０において、媒体支持トレイ２のセット位置Ｐ１から記録開始位置Ｐ２への移動が開始する。この媒体支持トレイ２の移動に伴い、ステップＳ１２０において、浮き検出センサー２１により被記録媒体の浮きを検出する。ステップＳ１２０で浮きが検出された場合、ステップＳ１３０において、媒体支持トレイ２を停止してセット位置Ｐ１に戻し、該記録方法を終了する。一方、ステップＳ１２０で浮きが検出されなかった場合、ステップＳ１４０において、記録開始位置Ｐ２まで媒体支持トレイ２を移動し停止する。ここで、ステップＳ１１０から１４０までのステップを被記録媒体の浮き検出ステップとする。
【００４１】
次に、ステップＳ１５０において、記録ヘッド６に対して媒体支持トレイ２を相対移動させて第１回目の白色記録を実行する。次に、ステップＳ１６０において、媒体支持トレイ２をセット位置Ｐ１まで移動し停止する。次に、ステップＳ１７０において、ステップＳ１１０から１４０までのステップである被記録媒体の浮き検出ステップを実行する。そして、ステップＳ１８０において第２回目の白色記録を実行し、ステップＳ１９０において媒体支持トレイ２をセット位置Ｐ１まで移動し停止する。
【００４２】
次に、ステップＳ２００において、白色インク以外のインクでの記録である、黒色インク、シアンインク、マゼンタインク、イエローインクでの画像形成のための記録を行うかを判断する。画像形成のための記録を行わない場合は、そのまま該記録方法を終了する。画像形成のための記録を行う場合は、ステップＳ２１０において被記録媒体の浮き検出ステップを実行する。そして、ステップＳ２２０において画像形成のための記録を実行し、ステップＳ２３０において媒体支持トレイ２をセット位置Ｐ１まで移動し停止し、該記録方法を終了する。
【００４３】
なお、上記実施例は、記録ヘッドを往復走査させると共に被記録媒体を間欠搬送させて記録を行う記録装置の実施例であるが、所謂ラインヘッドを備える記録装置でもよい。このようなラインヘッドを備え、ラインヘッドからインクを連続して吐出させると共に被記録媒体を間欠搬送ではなく連続的に搬送させる構成の記録装置でもよい。
【符号の説明】
【００４４】
１  記録装置、２  媒体支持トレイ（支持部）、３  移動機構、４  ステージ、
５  回転レバー、６  記録ヘッド、８  モニター、
９  コントロールパネル、１０  制御部、１１  ＣＰＵ、１２  システムバス、
１３  ＲＯＭ、１４  ＲＡＭ、１５  ヘッド駆動部、１６  キャリッジモーター、
１７  搬送モーター、１８  モーター駆動部、１９  インターフェース、
２０  入出力部、２１  浮き検出センサー
【図１】
2014114529.tif 000003
【図２】
2014114529.tif 000004
【図３】
2014114529.tif 000005
【図４】
2014114529.tif 000006
【図５】
2014114529.tif 000007